【手続補正書】
【提出日】令和3年8月18日(2021.8.18)
【手続補正１】
【補正対象書類名】特許請求の範囲
【補正対象項目名】全文
【補正方法】変更
【補正の内容】
【特許請求の範囲】
【請求項１】
少なくとも１つの陸上魚タンク（１ａ〜１ｅ）及び水供給システム（１００）を有する養魚場であって、前記水供給システム（１００）は、
貯水部（３）に流体接続された供給ライン（２Ｃ、２Ｄ）及び排出ライン（２Ａ、２Ｂ）と、
流体中間貯蔵部（５、６、５６）と、
前記少なくとも１つの魚タンク（１ａ〜１ｅ）に流体接続された循環導管（９ａ〜９ｆ）と、
前記供給ライン（２Ｃ、２Ｄ）、前記排出ライン（２Ａ、２Ｂ）、前記中間貯蔵部（５、６、５６）、及び前記循環導管（９ａ〜９ｆ）に流体接続されたバルブ構成（１０ａ〜１０ｐ）と、を備え、前記バルブ構成（１０ａ〜１０ｐ）は、
前記バルブ構成（１０ａ〜１０ｐ）が、前記流体中間貯蔵部（５、６、５６）と前記少なくとも１つのタンク（１ａ〜１ｅ）との間の前記循環導管（９ａ〜９ｆ）を介した流体の循環を可能とする第１の動作構成と、
前記バルブ構成（１０ａ〜１０ｐ）が、前記流体中間貯蔵部（５、６、５６）と前記貯水部（３）との間の前記供給及び排出ライン（２Ａ〜２Ｄ）を介した流体の循環を可能とする第２の動作構成と、
前記排出ライン（２Ａ、２Ｂ）、前記中間貯蔵部（５、６）、及び前記循環導管（９ａ〜９ｄ）に流体接続された第１のバルブユニット（１０ａ、１０ｂ）と、
前記供給ライン（２Ｃ、２Ｄ）、前記中間貯蔵部（５、６）、及び前記循環導管（９ａ〜９ｄ）に流体接続された第２のバルブユニット（１０ｃ、１０ｄ）と、
を有する、養魚場。
【請求項２】
前記中間貯蔵部（５、６、５６）と前記循環導管（９ａ〜９ｆ）との間に、及び／又は前記供給ライン（２Ｃ、２Ｄ）から前記中間貯蔵部（５、６、５６）を介して前記排出ライン（２Ａ、２Ｂ）まで、水を流すよう動作可能な少なくとも１つのポンプ（７、８、２４、２５、２６、２７）を備える、請求項１に記載の養魚場。
【請求項３】
前記貯水部（３）は、
前記少なくとも１つの魚タンク（１ａ〜１ｅ）における上方水面（４ａ）よりも低く、又は
前記少なくとも１つの魚タンク（１ａ〜１ｅ）よりも低く、
位置付けられている、請求項１から２のいずれかに記載の養魚場。
【請求項４】
前記貯水部（３）は共通の供給及び排出貯水部（３）を含み、例えば前記貯水部（３）は海である、請求項１から３のいずれかに記載の養魚場。
【請求項５】
前記貯水部（３）は別個の供給貯水部及び排出貯水部を含む、請求項１から３のいずれかに記載の養魚場。
【請求項６】
前記少なくとも１つのポンプ（７、８、２４、２５、２６、２７）は、
前記中間貯蔵部（５、６、５６）に位置付けられたポンプ（７、８、２４、２５、２６、２７）、又は
前記供給ライン（２Ｃ、２Ｄ）もしくは前記排出ライン（２Ａ、２Ｂ）に配置された第１のポンプ及び前記循環導管（９ａ〜９ｆ）に配置された第２のポンプ、
を含む、請求項２と組み合わせた請求項１から５のいずれかに記載の養魚場。
【請求項７】
前記中間貯蔵部（５、６、５６）は、
前記少なくとも１つの魚タンク（１ａ〜１ｅ）よりも高く、
前記少なくとも１つの魚タンク（１ａ〜１ｅ）と同一の高さに、
前記少なくとも１つの魚タンク）１ａ〜１ｅ）よりも低く、
前記少なくとも１つの魚タンク（１ａ〜１ｅ）と前記貯水部（３）との間に、又は
部分的にもしくは全体的に前記貯水部（３）内に、
配置されている、請求項１から６のいずれかに記載の養魚場。
【請求項８】
前記中間貯蔵部（５、６、５６）は流体容器を含み、前記流体容器はパイプ又は流体タンクのうち少なくとも１つである、請求項１から７のいずれかに記載の養魚場。
【請求項９】
前記中間貯蔵部（５、６、５６）は第１の流体容器（５）及び第２の流体容器（６）を含み、前記バルブ構成（１０ａ〜１０ｐ）は、同時に、
前記供給及び排出ライン（２Ａ〜２Ｄ）と前記第１の流体容器（５）との間の流体接続を維持し、
前記循環導管（９ａ〜９ｆ）と前記第２の流体容器（６）との間の流体接続を維持する、
ように動作可能である、請求項１から８のいずれかに記載の養魚場。
【請求項１０】
前記中間貯蔵部（５、６、５６）は第３の流体容器（５６）を含み、前記バルブ構成（１０ａ〜１０ｐ）は、前記第１、第２、及び第３の流体容器（５、６、５６）の各々を、
前記供給及び排出ライン（２Ａ〜２Ｄ）と流体接続するか、又は
前記循環導管（９ａ〜９ｆ）と流体接続する、
ように別個に制御するよう動作可能である、請求項９に記載の養魚場。
【請求項１１】
前記第１及び第２の流体容器（５、６）は共通タンク（７１）内に配置され、前記タンク（７１）は回転可能であり、
第１の回転位置では、前記第１の流体容器（５）が前記供給及び排出ライン（２Ａ〜２Ｄ）と流体接続すると共に前記第２の流体容器（６）が前記循環導管（９ａ〜９ｆ）と流体接続し、
第２の回転位置では、前記第２の流体容器（６）が前記供給及び排出ライン（２Ａ〜２Ｄ）と流体接続すると共に前記第１の流体容器（５）が前記循環導管（９ａ〜９ｆ）と流体接続する、
ように構成されている、請求項９と組み合わせた請求項１から１０のいずれかに記載の養魚場。
【請求項１２】
少なくとも１つの陸上魚タンク（１ａ〜１ｅ）を有する養魚場を動作させるための方法であって、
（ｉ）流体容器（５、６、５６）を貯水部（３）と流体連通させ、前記貯水部（３）からの水を前記流体容器（５、６、５６）を介して前記貯水部（３）へ循環させるステップと、
（ｉｉ）前記流体容器（５、６、５６）を前記少なくとも１つの陸上魚タンク（１ａ〜１ｅ）と流体連通させ、前記流体容器（５、６、５６）と前記魚タンク（１ａ〜１ｅ）との間で水を循環させるステップと、
を含み、ステップ（ｉ）及び（ｉｉ）は別個の順次ステップとして実行され、
前記別個の順次ステップ（ｉ）及び（ｉｉ）は、前記流体容器（５、６、５６）、前記貯水部（３）、及び前記少なくとも１つの魚タンク（１ａ〜１ｅ）に流体接続されたバルブ構成（１０ａ〜１０ｄ）によって制御され、前記バルブ構成（１０ａ〜１０ｄ）は、
前記バルブ構成（１０ａ〜１０ｄ）が、前記流体容器（５、６、５６）と前記少なくとも１つのタンク（１ａ〜１ｅ）との間で流体の循環を可能とする第１の動作構成と、
前記バルブ構成（１０ａ〜１０ｄ）が、前記流体容器（５、６）と前記貯水部（３）との間で流体の循環を可能とする第２の動作構成と、
前記貯水部（３）に流体接続された排出ライン（２Ａ、２Ｂ）、前記流体容器（５、６）、及び前記少なくとも１つの魚タンク（１ａ〜１ｅ）に流体接続された循環導管（９ａ〜９ｄ）に流体接続された第１のバルブユニット（１０ａ、１０ｂ）と、
前記貯水部（３）に流体接続された供給ライン（２Ｃ、２Ｄ）、前記流体容器（５、６）、及び前記循環導管（９ａ〜９ｄ）に流体接続された第２のバルブユニット（１０ｃ、１０ｄ）と、
を有する、
方法。
【請求項１３】
前記流体容器（５、６、５６）は第１の流体容器（５、６、５６）であり、前記方法は更に、
（ｉｉｉ）第２の流体容器（５、６、５６）を前記貯水部（３）と流体連通させ、前記貯水部（３）からの水を前記第２の流体容器（５、６、５６）を介して前記貯水部（３）へ循環させるステップと、
（ｉｖ）前記第２の流体容器（５、６、５６）を前記少なくとも１つの陸上魚タンク（１ａ〜１ｅ）と流体連通させ、前記第２の流体容器（５、６、５６）と前記魚タンク（１ａ〜１ｅ）との間で水を循環させるステップと、
を含み、ステップ（ｉｉｉ）及び（ｉｖ）は別個の順次ステップとして実行され、
前記ステップ（ｉ）及び（ｉｖ）は同時に実行されると共にステップ（ｉｉ）及び（ｉｉｉ）は同時に実行される、請求項１２に記載の方法。
【請求項１４】
前記貯水部（３）は、
前記少なくとも１つの魚タンク（１ａ〜１ｅ）における上方水面（４ａ）よりも低く、又は
前記少なくとも１つの魚タンク（１ａ〜１ｅ）よりも低く、
位置付けられている、請求項１２又は１３に記載の方法。
【請求項１５】
前記貯水部（３）は共通の供給及び排出貯水部（３）を含み、例えば前記貯水部（３）は海である、請求項１２から１４のいずれかに記載の方法。
【請求項１６】
前記貯水部（３）は別個の供給貯水部及び排出貯水部を含む、請求項１２から１４のいずれかに記載の方法。
【請求項１７】
前記貯水部（３）からの水を前記流体容器（５、６、５６）を介して前記貯水部（３）へ循環させるステップは、
前記流体容器（５、６、５６）に配置されたポンプ（７、８、２５、２７）、
前記流体容器（５、６、５６）を前記貯水部（３）に流体接続する供給ライン（２Ｃ、２Ｄ）又は排出ライン（２Ａ、２Ｂ）に配置されたポンプ、又は
前記水における温度及び密度の差によって生じる自然流量、
によって実行される、請求項１２から１６のいずれかに記載の方法。
【請求項１８】
前記流体容器（５、６、５６）と前記魚タンク（１ａ〜１ｅ）との間で水を循環させるステップは、
前記流体容器（５、６、５６）に配置されたポンプ（７、８、２４、２６）、
前記流体容器（５、６、５６）を前記魚タンク（１ａ〜１ｅ）に流体接続する循環導管（９ａ〜９ｄ）に配置されたポンプ、又は
前記水における温度及び密度の差によって生じる自然流量、
によって実行される、請求項１２から１７のいずれかに記載の方法。
【請求項１９】
前記流体容器（５、６、５６）は、
前記少なくとも１つの魚タンク（１ａ〜１ｅ）よりも高く、
前記少なくとも１つの魚タンク（１ａ〜１ｅ）と同一の高さに、
前記少なくとも１つの魚タンク）１ａ〜１ｅ）よりも低く、
前記少なくとも１つの魚タンク（１ａ〜１ｅ）と前記貯水部（３）との間に、又は
部分的にもしくは全体的に前記貯水部（３）内に、
配置されている、請求項１２から１８のいずれかに記載の方法。
【請求項２０】
前記流体容器（５、６、５６）はパイプ又は流体タンクのうち少なくとも１つを含む、請求項１２から１９のいずれかに記載の方法。
【請求項２１】
前記養魚場は請求項１から１１のいずれかに記載の養魚場である、請求項１２から２０のいずれかに記載の方法。